(57)【要約】【課題】  ライダーがデッキから飛び降りた際の安全を確保する機能を確保しつつ、体を大きく振って体重移動を大きく取って走行させることができ、しかも、デッキの旋回に先立つ両腕（手）の先行動作を容易に行うことができるようにする。【解決手段】  ノーズＤａ及びテールＤｂを有した板状のデッキＤの裏面に車輪を設けた走行ボードＢに装着され、紐状に形成された可撓性のストラップ本体１０と、ストラップ本体１０の一端部１１に設けられデッキＤのノーズＣａ側に取付けられる取付部２０と、ストラップ本体１０の他端部１２に設けられライダーが把持可能な把持部３０とを備え、ストラップ本体１０を、弾性変形により伸縮可能なバネ状部１３を備えて構成した。また、バネ状部１３の縮小時における取付部２０のデッキ面位置から把持部３０の先端までの長さを調整可能な長さ調整手段４０を備えた。【選択図】  図１
2020054655.tif 000002
【特許請求の範囲】
【請求項１】
ノーズ及びテールを有した板状のデッキの裏面に車輪を設けた走行ボードに装着され、紐状に形成された可撓性のストラップ本体と、該ストラップ本体の一端部に設けられ上記デッキのノーズ側に取付けられる取付部と、上記ストラップ本体の他端部に設けられライダーが把持可能な把持部とを備えた走行ボード用ストラップ装置において、
上記ストラップ本体を、弾性変形により伸縮可能なバネ状部を備えて構成したことを特徴とする走行ボード用ストラップ装置。
【請求項２】
上記バネ状部を、１８０°以上折曲可能な樹脂製の密着引っ張りコイルバネで形成したことを特徴とする請求項１記載の走行ボード用ストラップ装置。
【請求項３】
上記バネ状部の縮小時における上記取付部のデッキ面位置から把持部の先端までの長さＬｓを、４００ｍｍ≦Ｌｓ≦８００ｍｍに設定し、上記バネ状部の最大伸長時における上記取付部のデッキ面位置から把持部の先端までの長さＬｇを、１０００ｍｍ≦Ｌｇ≦１８００ｍｍに設定し、上記バネ状部のばね定数ｋを、８０Ｎ／ｍ≦ｋ≦１２０Ｎ／ｍに設定したことを特徴とする請求項２記載の走行ボード用ストラップ装置。
【請求項４】
上記バネ状部の線径ｄを、２ｍｍ≦ｄ≦８ｍｍに設定し、該バネ状部の縮小時の長さＬａを、８０ｍｍ≦Ｌａ≦２００、直径Ｄを、１０≦Ｄ≦３０ｍｍに設定したことを特徴とする請求項３記載の走行ボード用ストラップ装置。
【請求項５】
上記バネ状部の縮小時における上記取付部のデッキ面位置から把持部の先端までの長さを調整可能な長さ調整手段を備えたことを特徴とする請求項１乃至４何れかに記載の走行ボード用ストラップ装置。
【請求項６】
上記ストラップ本体の両端部をリング状に形成したことを特徴とする請求項１乃至５何れかに記載の走行ボード用ストラップ装置。
【請求項７】
上記取付部を、上記デッキのノーズ側に係着されるロープを備えて構成したことを特徴とする請求項１乃至６何れかに記載の走行ボード用ストラップ装置。
【請求項８】
上記取付部を、上記ストラップ本体のリング状の一端部に引き通されるとともに上記デッキのノーズに設けられた貫通孔に引き通され、両端部側を結んで環状にすることにより上記ストラップ本体を上記デッキのノーズに取付けるロープで形成し、上記バネ状部の縮小時における上記取付部のデッキ面位置から把持部の先端までの長さを調整可能な長さ調整手段を備え、該長さ調整手段を、上記取付部としてのロープで構成し、該ロープの結び目の位置を変えることにより長さ調整可能にしたことを特徴とする請求項６記載の走行ボード用ストラップ装置。
【請求項９】
上記取付部を、上記デッキのノーズに固定され貫通孔を形成する取付金具と、上記ストラップ本体のリング状の一端部に引き通されるとともに上記取付金具の貫通孔に引き通され、両端部側を結んで環状にすることにより上記ストラップ本体を上記取付金具に取付けるロープとで形成し、上記バネ状部の縮小時における上記取付部のデッキ面位置から把持部の先端までの長さを調整可能な長さ調整手段を備え、該長さ調整手段を、上記取付部のロープで構成し、該ロープの結び目の位置を変えることにより長さ調整可能にしたことを特徴とする請求項６記載の走行ボード用ストラップ装置。
【請求項１０】
上記把持部を、上記ストラップ本体の他端部に係着され帯状且つリング状に形成され折り畳み可能な帯状環と、該帯状環に被着され把持されるクッション部材とを備えて構成したことを特徴とする請求項１乃至９何れかに記載の走行ボード用ストラップ装置。
【請求項１１】
上記請求項１乃至１０何れかに記載の走行ボード用ストラップ装置が装着されたことを特徴とする走行ボード。
【発明の詳細な説明】
【技術分野】
【０００１】
本発明は、スケートボード，キックボード（Ｋ・Ｂ），マウンテンボード、グラスボード等のライダーが乗るデッキの裏面に車輪を備えた走行ボードに装着され、デッキのノーズ側に取付けられライダーが把持する走行ボード用ストラップ装置及びこれを備えた走行ボードに関する。
【背景技術】
【０００２】
従来、図７に示すように、走行ボードＢａとしては、例えば、特開昭５４−１３８７８２号公報（特許文献１）に掲載されたものが知られている。これは、ノーズＤａ及びテールＤｂを有した板状のデッキＤと、デッキＤのノーズＤａ側の裏面に設けられた前輪部Ｗａと、デッキＤのテールＤｂ側の裏面に設けられた後輪部Ｗｂとを備えている。また、この走行ボードＢａにおいては、ライダーが危険を感じて飛び降りてもデッキＤをライダーの近くに保持しておく目的で、ライダーが把持する走行ボード用ストラップ装置Ｓａを備えている。
【０００３】
このストラップ装置Ｓａは、図７に示すように、布若しくは皮からなる紐状で直状に形成された可撓性のストラップ本体１００と、ストラップ本体１００の一端部に設けられデッキＤのノーズＤａ側に取付けられる取付部１０１と、ストラップ本体１００の他端部に設けられライダーが把持可能な環状の把持部１０２とを備えて構成されている。取付部１０１は、デッキＤに固着され上側に固定リング１０３及び固定リング１０３に連結される可動リング１０４を備えた一方取付金具１０５と、トラップ本体１００の一端部に設けられた他方取付金具１０６と、この他方取付金具１０６に回転可能に設けられ一方取付金具１０５の可動リング１０４に抜け止めされて係着される着脱可能なスイベルフック１０７とを備えて構成されている。
【０００４】
そして、この走行ボードＢａを使用するときは、ライダーがデッキＤ上に乗り、ストラップ装置Ｓａの把持部１０２を右手，左手あるいは両手で把持し、ライダーの体重移動によりデッキＤにかかる力を前後方向，左右方向で異ならせ走行させる。また、ジャンプを行うこともできる。特に、走行の際、重心を左右に移すことでデッキＤを自在に撓ませ、スラローム走行（蛇行）を行うことができる。この場合、ライダーが危険を感じて飛び降りても、ライダーはストラップ装置Ｓａの把持部１０２を把持しているので、デッキＤをライダーの近くに保持しておくことができ、安全を確保することができる。また、この従来の特許文献１には記載がないが、ストラップ装置Ｓａにおいては、ストラップ本体１００に体重を預けてバランスを取ることができるので、スラローム走行を容易に行うことができるというメリットもある。
【先行技術文献】
【特許文献】
【０００５】
【特許文献１】特開昭５４−１３８７８２号公報
【発明の概要】
【発明が解決しようとする課題】
【０００６】
しかしながら、上記従来の走行ボードＢａにおいては、ストラップ装置Ｓａのストラップ本体１００が直状であり、その長さが限定されているので、手の可動域が限定されてしまい、例えば、取付部１０１のデッキ面位置から把持部１０２の先端までの長さより長いところに手を持っていくことができないことから、体を大きく振って体重移動を大きく取って走行させることができにくくなる欠点があった。
【０００７】
特に、握り手側が大きく振れず、体のひねりが小さくなってしまうと、サーフィンボードに乗るような本来の乗り方ができにくくなる。詳しくは、サーフィンにおいて、旋回の際には、サーフィンボードが旋回する前に、ライダーの上半身、特に、両腕（手）を広げてバランスを取りながらこの両腕（手）を先行させて旋回させる先行動作を行う。ところが、このようなサーフィンにおける両腕（手）の先行動作を上記従来の走行ボードＢａで行おうとしても、ストラップ装置Ｓａの長さが限定されているので、これを行うことができにくくなるのである。
【０００８】
本発明は上記の問題点に鑑みて為されたもので、ストラップ本体の把持部を把持してライダーがデッキから飛び降りた際の安全を確保する機能を確保しつつ、体を大きく振って体重移動を大きく取って走行させることができ、しかも、デッキの旋回に先立つ両腕（手）の先行動作を容易に行うことができるようにした走行ボード用ストラップ装置及びこれを装着した走行ボードを提供することを目的とする。
【課題を解決するための手段】
【０００９】
このような目的を達成するための本発明の走行ボード用ストラップ装置は、ノーズ及びテールを有した板状のデッキの裏面に車輪を設けた走行ボードに装着され、紐状に形成された可撓性のストラップ本体と、該ストラップ本体の一端部に設けられ上記デッキのノーズ側に取付けられる取付部と、上記ストラップ本体の他端部に設けられライダーが把持可能な把持部とを備えた走行ボード用ストラップ装置において、
上記ストラップ本体を、弾性変形により伸縮可能なバネ状部を備えて構成している。
【００１０】
これにより、このストラップ装置を装着した走行ボードを使用するときは、ライダーがデッキ上に乗り、把持部を右手，左手あるいは両手で把持し、ライダーの体重移動によりデッキにかかる力を前後方向，左右方向で異ならせて走行させる。また、ジャンプを行うこともできる。この場合、ストラップ本体のバネ状部が弾性変形により伸縮するので、バネ状部の縮小状態から最大伸長状態に亘り、把持部を把持した状態でストラップ本体の張力を得られることになり、そのため、この体の動きに追従して体重の一部若しくは全部を支えることができ、体を大きく振って体重移動を大きく取って走行させることができるようになる。特に、握り手側を大きく振って体のひねりを大きくすることができるようになる。即ち、バネ状部が伸縮するので、手の可動域が大きくなり、そのため、デッキの旋回に先立つ両腕（手）の先行動作を容易に行うことができるようになり、従来に比較して、サーフィンボードに乗るような本来の乗り方ができるようになる。
【００１１】
詳しくは、上述もしたように、サーフィンにおいて、旋回の際には、サーフィンボードが旋回する前に、ライダーの上半身、特に、両腕（手）を広げてバランスを取りながらこの両腕（手）を先行させて旋回させる先行動作を行うが、本発明によれば、ストラップ本体のバネ状部が弾性変形により伸縮するので、このような両腕（手）の先行動作を思う存分に行うことができ、サーフィンボードに乗るような動作を楽しむことができるのである。また、ライダーが危険を感じて飛び降りても、ストラップ装置の把持部を把持しているので、デッキをライダーの近くに保持しておくことができ、安全を確保することができる。更に、ストラップ装置により、デッキを引っ張って移動させることもできるようになる。
【００１２】
そして、必要に応じ、上記バネ状部を、１８０°以上折曲可能な樹脂製の密着引っ張りコイルバネで形成した構成としている。バネ状部が柔軟になることから、ライダーがデッキ上に乗って走行する際には、前後，左右，上下のあらゆる方向で自由自在に手を動かすことができ、全方向で負荷を掛け易くすることができ、体の動きへの追従性が良くなり、より一層、体を大きく振って体重移動を大きく取って走行させることができるようになる。
【００１３】
この場合、上記バネ状部の縮小時における上記取付部のデッキ面位置から把持部の先端までの長さＬｓを、４００ｍｍ≦Ｌｓ≦８００ｍｍに設定し、上記バネ状部の最大伸長時における上記取付部のデッキ面位置から把持部の先端までの長さＬｇを、１０００ｍｍ≦Ｌｇ≦１８００ｍｍに設定し、上記バネ状部のばね定数ｋを、８０Ｎ／ｍ≦ｋ≦１２０Ｎ／ｍに設定した構成としている。
ライダーがデッキ上に乗って走行する際には、ストラップ本体のバネ状部が伸縮するので、前後，左右，上下のあらゆる方向で自由自在に手を動かすことができ、全方向で負荷を掛けることができるが、この場合、この数値範囲で最適な負荷を掛けることができ、操作性を向上させることができる。
【００１４】
また、この場合、上記バネ状部の線径ｄを、２ｍｍ≦ｄ≦８ｍｍに設定し、該バネ状部の縮小時の長さＬａを、８０ｍｍ≦Ｌａ≦２００、直径Ｄを、１０≦Ｄ≦３０ｍｍに設定した構成としている。
この数値範囲により、ストラップ本体がそれほど大きくなることなく、バランスよく伸縮させることができ、操作性を向上させることができる。
【００１５】
更に、必要に応じ、上記バネ状部の縮小時における上記取付部のデッキ面位置から把持部の先端までの長さを調整可能な長さ調整手段を備えた構成としている。長さ調整手段により装置の全長を調整できるので、ライダーの身長などの体型に合わせることができる。
【００１６】
更にまた、必要に応じ、上記ストラップ本体の両端部をリング状に形成した構成としている。ストラップ本体のリング状の両端部を利用して、取付部及び把持部を取付け易くすることができる。
【００１７】
そしてまた、必要に応じ、上記取付部を、上記デッキのノーズ側に係着されるロープを備えて構成している。ロープを備えたので、回転してねじれ易くなり、従来のようにスイベルフック等の回転金具を用いなくても良いことから、極めて簡易な構造にすることができる。
【００１８】
また、必要に応じ、上記取付部を、上記ストラップ本体のリング状の一端部に引き通されるとともに上記デッキのノーズに設けられた貫通孔に引き通され、両端部側を結んで環状にすることにより上記ストラップ本体を上記デッキのノーズに取付けるロープで形成し、上記バネ状部の縮小時における上記取付部のデッキ面位置から把持部の先端までの長さを調整可能な長さ調整手段を備え、該長さ調整手段を、上記取付部としてのロープで構成し、該ロープの結び目の位置を変えることにより長さ調整可能にした構成としている。取付部としてのロープにより、ストラップ本体の一端を容易にデッキのノーズの貫通孔に取付けることができるようになる。また、取付部をロープにしたので、回転してねじれ易くなり、従来のようにスイベルフック等の回転金具を用いなくても良いことから、極めて簡易な構造にすることができ、コストダウンを図ることができる。更に、ロープの結び目の位置を変えることにより長さ調整できるので、ライダーの身長などの体型に合わせることができるとともに、結び目の位置を変えるだけで良いので、長さ調整を容易に行うことができ、調整作業を極めて容易に行うことができる。
【００１９】
また、必要に応じ、上記取付部を、上記デッキのノーズに固定され貫通孔を形成する取付金具と、上記ストラップ本体のリング状の一端部に引き通されるとともに上記取付金具の貫通孔に引き通され、両端部側を結んで環状にすることにより上記ストラップ本体を上記取付金具に取付けるロープとで形成し、上記バネ状部の縮小時における上記取付部のデッキ面位置から把持部の先端までの長さを調整可能な長さ調整手段を備え、該長さ調整手段を、上記取付部のロープで構成し、該ロープの結び目の位置を変えることにより長さ調整可能にした構成としている。取付部の取付金具は予めデッキのノーズに固定しておく。そして、ロープによりストラップ本体の一端を取付金具に取付けるが、ロープなので容易に取付金具に取付けることができるようになる。また、取付部はロープを備えたので、回転してねじれ易くなり、従来のようにスイベルフック等の回転金具を用いなくても良いことから、極めて簡易な構造にすることができ、コストダウンを図ることができる。更に、ロープの結び目の位置を変えることにより長さ調整できるので、ライダーの身長などの体型に合わせることができるとともに、結び目の位置を変えるだけで良いので、長さ調整を容易に行うことができ、調整作業を極めて容易に行うことができる。
【００２０】
更に、必要に応じ、上記把持部を、上記ストラップ本体の他端部に係着され帯状且つリング状に形成され折り畳み可能な帯状環と、該帯状環に被着され把持されるクッション部材とを備えて構成している。クッション部材があるので、手に食い込むことがなく、把持しやすくなるとともに、適度な遊びが生じることから、それだけ、操作性を向上させることができる。
【００２１】
そしてまた、上記目的を達成するための本発明の走行ボードは、上記のストラップ装置が装着された構成にしている。上記と同様の作用，効果を奏する。
【発明の効果】
【００２２】
本発明によれば、ストラップ本体を、弾性変形により伸縮可能なバネ状部を備えて構成したので、走行ボードの使用の際に、ストラップ本体のバネ状部が弾性変形により伸縮するので、バネ状部の縮小状態から最大伸長状態に亘り、把持部を把持した状態でストラップ本体の張力を得られることになり、そのため、この体の動きに追従して体重の一部若しくは全部を支えることができ、体を大きく振って体重移動を大きく取って走行させることができるようになる。特に、握り手側を大きく振って体のひねりを大きくすることができるようになる。即ち、バネ状部が伸縮するので、手の可動域が大きくなり、そのため、デッキの旋回に先立つ両腕（手）の先行動作を容易に行うことができるようになり、従来に比較して、サーフィンボードに乗るような本来の乗り方ができるようになる。
【図面の簡単な説明】
【００２３】
【図１】本発明の実施の形態に係る走行ボード用ストラップ装置をこれを装着した走行ボードとともにライダーが操作している状態で示す斜視図である。
【図２】本発明の実施の形態に係る走行ボード用ストラップ装置を装着した走行ボードを示す側面図である。
【図３】本発明の実施の形態に係る走行ボード用ストラップ装置において、取付部としてのロープをデッキに設けた貫通孔に対して取付けた状態の一例を示す要部拡大断面図である。
【図４】本発明の実施の形態に係る走行ボード用ストラップ装置において、把持部のストラップ本体に対する取付状態を示す要部断面図である。
【図５】本発明の実施の形態に係る走行ボード用ストラップ装置において、取付部としてのロープをデッキに設けた貫通孔に対して取付けた状態の別の例を示す要部拡大断面図である。
【図６】本発明の実施の形態に係る走行ボード用ストラップ装置において、別の取付部をデッキに対して取付けた状態で示し、（ａ）は要部斜視図、（ｂ）は要部拡大断面図である。
【図７】従来の走行ボード用ストラップ装置の一例を示す側面図である。
【発明を実施するための形態】
【００２４】
以下、添付図面に基づいて、本発明の実施の形態に係る走行ボード用ストラップ装置及びこれを装着した走行ボードについて詳細に説明する。尚、上記と同様のものには同一の符号を付して説明する。
図１乃至図４に示すように、本発明の実施の形態に係る走行ボードＢは、所謂スケートボードといわれるものであり、ノーズＤａ及びテールＤｂを有しライダーが乗る表面１を有した板状のデッキＤと、デッキＤのノーズＤａ側の裏面１に設けられ一対の前輪を有した前輪部Ｗａと、デッキＤのテールＤｂ側の裏面２に設けられ一対の後輪を有した後輪部Ｗｂとを備えている。走行ボードＢにおいては、デッキＤのノーズＤａ側に、本発明の実施の形態に係る走行ボード用ストラップ装置Ｓが装着される。
【００２５】
走行ボード用ストラップ装置Ｓは、紐状に形成された可撓性のストラップ本体１０と、ストラップ本体１０の一端部１１に設けられデッキＤのノーズＤａ側に取付けられる取付部２０と、ストラップ本体１０の他端部１２に設けられライダーが把持可能な把持部３０とを備えて構成されている。取付部２０のデッキ面位置はデッキＤの長手方向中心線Ｐ上であってノーズＤａの先端より１０ｍｍ〜１００ｍｍ後側の位置に設けられる。
【００２６】
ストラップ本体１０は、例えばポリウレタン等の樹脂で一体形成され、中間部が弾性変形により伸縮可能、且つ、１８０°以上折曲可能な密着引っ張りコイルバネで形成されたバネ状部１３として構成されている。このストラップ本体１０の両端部１１，１２は、折り返し折曲させられてその先端がこれが重なった部分とともにカシメ部材１４でカシメ固定されてリング状に形成されている。ストラップ本体１０のリング状の両端部１１，１２を利用して、取付部２０及び把持部３０を取付け易くすることができる。
【００２７】
実施の形態では、図４に示すように、バネ状部１３の線径ｄが、２ｍｍ≦ｄ≦８ｍｍに設定され、バネ状部１３の縮小時の長さＬａが、８０ｍｍ≦Ｌａ≦２００、直径Ｄが、１０≦Ｄ≦３０ｍｍに設定されている。この数値範囲により、ストラップ本体１０がそれほど大きくなることなく、バランスよく伸縮させることができ、操作性を向上させることができる。
【００２８】
また、バネ状部１３の縮小時における取付部２０のデッキ面位置から把持部３０の先端までの長さＬｓ（図２）が、４００ｍｍ≦Ｌｓ≦８００ｍｍに設定され、バネ状部１３の最大伸長時における取付部２０のデッキ面位置から把持部３０の先端までの長さＬｇ（図１）が、１０００ｍｍ≦Ｌｇ≦１８００ｍｍに設定され、バネ状部１３のばね定数ｋが、８０Ｎ／ｍ≦ｋ≦１２０Ｎ／ｍに設定されている。
後述もするが、ライダーがデッキＤ上に乗って走行する際には、ストラップ本体１０のバネ状部１３が伸縮するので、前後，左右，上下のあらゆる方向で自由自在に手を動かすことができ、全方向で負荷を掛けることができるが、この場合、この数値範囲で最適な負荷を掛けることができ、操作性を向上させることができる。
【００２９】
取付部２０は、デッキＤのノーズＤａに係着される例えばナイロン製のロープ２１で形成されている。図３に示すように、デッキＤのノーズＤａには、ノーズＤａの表面１から裏面２に亘り貫通形成され取付部２０が取付けられる貫通孔２２が設けられている。取付部２０としてのロープ２１は、ストラップ本体１０のリング状の一端部１１に引き通されるとともに貫通孔２２に引き通され、両端部側を結んで結び目２３を形成し、環状にすることにより、ストラップ本体１０はデッキＤのノーズＤａに取付けられる。具体的には、例えば、ストラップ本体１０のリング状の一端部１１に引き通したロープ２１を略中央で折曲して二条に重ね、この二条になったロープ２１の先端をノーズＤａの裏面２側から貫通孔２２に挿通するとともに、二条になったロープ２１の中央側を先端側の２本のロープ２１で挟んで、貫通孔２２とノーズＤａの先端間に二条のロープ２１を巻き回すとともに、先端側の２本のロープ２１を結んで結び目２３を形成し、このロープ２１をノーズＤａに取付ける。取付部２０をロープ２１により構成したので、回転してねじれ易くすることができ、従来のようなスイベルフック等の回転金具を用いなくても良いことから、極めて簡易な構造にすることができるとともに、コストダウンを図ることができる。
【００３０】
把持部３０は、ストラップ本体１０の他端部１２に係着され帯状且つリング状に形成され折り畳み可能な帯状環３１と、帯状環３１に被着され把持されるクッション部材３２とを備えて構成されている。実施の形態では、図４に示すように、帯状環３１は、例えば布製であり、一部分に周方向に沿って並設される一対の挿通孔３３，３４が形成されており、ストラップ本体１０の他端部１２の先端を一方の挿通孔３３，３４の外側から内側に引き通すとともに、他方の挿通孔３３，３４の内側から外側に引き通し、先端を上記のカシメ部材１４でカシメ固定することにより、ストラップ本体１０の他端部１２に係着されている。また、クッション部材３２は、例えば、ナイロン、あるいは、ネオプレン製のダブルジャージで形成されており、帯状環３１の略半周を被覆している。把持部３０の偏平状にした長さＬｈ（図２）は、１５０ｍｍ≦Ｌｈ≦２００ｍｍである。
【００３１】
また、本ストラップ装置Ｓには、バネ状部１３の縮小時における取付部２０のデッキ面位置から把持部３０の先端までの長さＬｓを調整可能な長さ調整手段４０が備えられている。この長さ調整手段４０は、取付部２０としてのロープ２１で構成されており、ロープ２１の結び目２３の位置を変えることにより長さ調整可能に構成されている。
【００３２】
従って、実施の形態に係る走行ボード用ストラップ装置Ｓは、走行ボードＢの使用前に予め装着される。この際には、長さ調整手段４０である取付部２０としてのロープ２１を、デッキＤのノーズＤａに設けた貫通孔２２に挿通して結んで取付けるが、ロープ２１の結び目２３の位置を変えることによりバネ状部１３の縮小時における取付部２０のデッキ面位置から把持部３０の先端までの長さＬｓを調整する。そのため、取付部２０としてのロープ２１により、ストラップ本体１０の一端を容易にデッキＤのノーズＤａに取付けることができるようになる。また、ロープ２１の結び目２３の位置を変えることにより長さ調整できるので、ライダーの身長などの体型に合わせることができるとともに、結び目２３の位置を変えるだけで良いので、長さ調整を容易に行うことができ、調整作業を極めて容易に行うことができる。
【００３３】
そして、この実施の形態に係るストラップ装置Ｓが装着された実施の形態に係る走行ボードＢを使用するときは、走行ボードＢを、所望の位置に移動させる。この場合、ストラップ装置Ｓにより、デッキＤを引っ張って移動させることができるので、移動を容易に行うことができる。そして、図１に示すように、ライダーがデッキＤ上に乗り、把持部３０を右手，左手あるいは両手で把持する。把持部３０には、クッション部材３２があるので、手に食い込むことがなく、把持しやすくなるとともに、適度な遊びが生じることから、それだけ、操作性を向上させることができる。
【００３４】
そして、ライダーは、ライダーの体重移動によりデッキＤにかかる力を前後方向，左右方向で異ならせて走行させる。また、ジャンプを行うこともできる。この場合、ストラップ本体１０のバネ状部１３が弾性変形により伸縮するので、バネ状部１３の縮小状態から最大伸長状態に亘り、把持部３０を把持した状態でストラップ本体１０の張力を得られることになり、そのため、この体の動きに追従して体重の一部若しくは全部を支えることができ、体を大きく振って体重移動を大きく取って走行させることができるようになる。特に、握り手側を大きく振って体のひねりを大きくすることができるようになる。即ち、バネ状部１３が伸縮するので、手の可動域が大きくなり、そのため、デッキＤの旋回に先立つ両腕（手）の先行動作を容易に行うことができるようになり、従来に比較して、サーフィンボードに乗るような本来の乗り方ができるようになる。
【００３５】
詳しくは、上述もしたように、サーフィンにおいて、旋回の際には、サーフィンボードが旋回する前に、ライダーの上半身、特に、両腕（手）を広げてバランスを取りながらこの両腕（手）を先行させて旋回させる先行動作を行うが、本装置によれば、ストラップ本体１０のバネ状部１３が弾性変形により伸縮するので、このような両腕（手）の先行動作を思う存分に行うことができ、サーフィンボードに乗るような動作を楽しむことができるのである。また、ライダーが危険を感じて飛び降りても、ストラップ装置Ｓの把持部３０を把持しているので、デッキＤをライダーの近くに保持しておくことができ、安全を確保することができる。
【００３６】
図５には、取付部２０としてのロープ２１の他の取付例を示す。これは、ストラップ本体１０のリング状の一端部１１に引き通したロープ２１を略中央で折曲して二条に重ね、この二条になったロープ２１の先端をノーズＤａの表面１から貫通孔２２に挿通するとともに、裏面２において先端側の２本のロープ２１を結んで結び目２３を形成し、この結び目２３により貫通孔２２からの抜けを阻止して、このロープ２１をノーズＤａに取付けたものである。作用，効果は上記と同様である。
【００３７】
図６には、別の取付部５０を示す。この取付部５０は、デッキＤのノーズＤａの表面１に固定され貫通孔５２を形成する取付金具５１と、ストラップ本体１０のリング状の一端部１１に引き通されるとともに取付金具５１の貫通孔５２に引き通され、両端部側を結んで結び目５４を形成し環状にすることによりストラップ本体１０をこの取付金具５１に取付けるロープ５３とで形成されている。取付部５０のデッキ面位置はデッキＤの長手方向中心線Ｐ上であってノーズＤａの先端より１０ｍｍ〜１００ｍｍ後側の位置に設けられる。取付金具５１は、金属製の長方形状の板の中央を膨出させて膨出部５５を形成し、この膨出部５５の左右をボルト５６及びナット５７でデッキＤのノーズＤａに止着して、ノーズＤａの表面１と膨出部５５の凹部とで、貫通孔５２を形成している。そして、ロープ５３を取付けるときは、ストラップ本体１０のリング状の一端部１１に引き通したロープ５３を略中央で折曲して二条に重ね、この二条になったロープ５３の先端を貫通孔５２に挿通するとともに、二条になったロープ５３の中央側を先端側の２本のロープ５３で挟んで、膨出部５５に二条のロープ５３を巻き回すとともに、先端側の２本のロープ５３を結んで結び目５４を形成する。ロープ５３は長さ調整手段４０としても構成されている。これによっても、上記と同様の作用，効果を奏する。
【実施例】
【００３８】
次に、ストラップ本体１０の実施例を示す。
＜実施例１＞
このストラップ本体１０は、主に、子供用のものであり、ポリウレタンで形成し、中間部のバネ状部１３を弾性変形により伸縮可能、且つ、１８０°以上折曲可能な密着引っ張りコイルバネで形成した。バネ状部１３において、線径ｄを、ｄ＝４ｍｍ、直径Ｄを、Ｄ＝１６ｍｍ、ばね定数ｋを、ｋ＝９８Ｎ／ｍにした。縮小時のバネ状部１３の長さを８５ｍｍにした。最大伸長時におけるバネ状部１３の長さは６００ｍｍであった。また、バネ状部１３の縮小時のストラップ本体１０の長さを３８０ｍｍにした。バネ状部１３の最大伸長時におけるストラップ本体１０の長さは８９５ｍｍであった。
【００３９】
＜実施例２＞
このストラップ本体１０は、主に、大人用のものであり、ポリウレタンで形成し、中間部のバネ状部１３を弾性変形により伸縮可能、且つ、１８０°以上折曲可能な密着引っ張りコイルバネで形成した。バネ状部１３において、線径ｄを、ｄ＝４ｍｍ、直径Ｄを、Ｄ＝１６ｍｍ、ばね定数ｋを、ｋ＝９８Ｎ／ｍにした。縮小時のバネ状部１３の長さを１３０ｍｍにした。最大伸長時におけるバネ状部１３の長さは９００ｍｍであった。また、バネ状部１３の縮小時のストラップ本体１０の長さを４３０ｍｍにした。バネ状部１３の最大伸長時におけるストラップ本体１０の長さは１２００ｍｍであった。
【００４０】
尚、上記実施の形態において、取付部２０としてのロープ２１の貫通孔２２に対する取付方（結び付け方）、あるいは、取付部５０のロープ５３の貫通孔５１に対する取付方（結び付け方）は、上述した取付方に限定されるものではなく、適宜変更して差支えない。また、上記実施の形態において、取付部２０，５０の構成は必ずしも上記に限定されるものではなく、例えば、図７に示す従来のスイベルフック１０７を用いた取付部にし、あるいは、このようなスイベルフック１０７を図６に示す取付金具５１に係着するように構成するなど、適宜変更して差支えない。更にまた、把持部３０の構成も上述したものに限定されるものではなく、例えば、クッション部材３２を、ストラップ本体１０のリング状の他端部１２に被着してこれを把持部３０として構成しても良く、適宜変更して差支えない。また、長さ調整手段４０も上記に限定されない。
【００４１】
また、上記実施の形態では、本発明をスケートボードに適用したが、キックボード（Ｋ・Ｂ），マウンテンボード、グラスボード等の他の走行ボードＢに適用してもよく適宜変更して差し支えない。更に、車輪の数も上記の４輪に限定されず、２輪，３輪，５輪以上の数のものであって良いことは勿論である。要するに、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４２】
Ｂ  走行ボード
Ｓ  走行ボード用ストラップ装置
Ｄ  デッキ
Ｄａ  ノーズ
Ｄｂ  テール
１  表面
２  裏面
Ｗａ  前輪部
Ｗｂ  後輪部
１０  ストラップ本体
１１  一端部
１２  他端部
１３  バネ状部
１４  カシメ部材
２０  取付部
２１  ロープ
２２  貫通孔
２３  結び目
３０  把持部
３１  帯状環
３２  クッション部材
３３，３４  挿通孔
４０  長さ調整手段
５０  取付部
５１  取付金具
５２  貫通孔
５３  ロープ
５４  結び目
５５  膨出部
５６  ボルト
５７  ナット
【図１】
2020054655.tif 000003
【図２】
2020054655.tif 000004
【図３】
2020054655.tif 000005
【図４】
2020054655.tif 000006
【図５】
2020054655.tif 000007
【図６】
2020054655.tif 000008
【図７】
2020054655.tif 000009
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
ノーズ及びテールを有した板状のデッキの裏面に車輪を設けた走行ボードに装着され、紐状に形成された可撓性のストラップ本体と、該ストラップ本体の一端部に設けられ上記デッキのノーズ側に取付けられる取付部と、上記ストラップ本体の他端部に設けられライダーが把持可能な把持部とを備えた走行ボード用ストラップ装置において、
上記ストラップ本体を、弾性変形により伸縮可能なバネ状部を備えて構成し、
上記バネ状部を、１８０°以上折曲可能な樹脂製の密着引っ張りコイルバネで形成し、
上記バネ状部の縮小時における上記取付部のデッキ面位置から把持部の先端までの長さＬｓを、４００ｍｍ≦Ｌｓ≦８００ｍｍに設定し、上記バネ状部の最大伸長時における上記取付部のデッキ面位置から把持部の先端までの長さＬｇを、１０００ｍｍ≦Ｌｇ≦１８００ｍｍに設定し、上記バネ状部のばね定数ｋを、８０Ｎ／ｍ≦ｋ≦１２０Ｎ／ｍに設定したことを特徴とする走行ボード用ストラップ装置。
【請求項２】
上記バネ状部の線径ｄを、２ｍｍ≦ｄ≦８ｍｍに設定し、該バネ状部の縮小時の長さＬａを、８０ｍｍ≦Ｌａ≦２００、直径Ｄを、１０≦Ｄ≦３０ｍｍに設定したことを特徴とする請求項１記載の走行ボード用ストラップ装置。
【請求項３】
ノーズ及びテールを有した板状のデッキの裏面に車輪を設けた走行ボードに装着され、紐状に形成された可撓性のストラップ本体と、該ストラップ本体の一端部に設けられ上記デッキのノーズ側に取付けられる取付部と、上記ストラップ本体の他端部に設けられライダーが把持可能な把持部とを備えた走行ボード用ストラップ装置において、
上記ストラップ本体を、弾性変形により伸縮可能なバネ状部を備えて構成し、
上記ストラップ本体の両端部をリング状に形成したことを特徴とする走行ボード用ストラップ装置。
【請求項４】
上記バネ状部を、１８０°以上折曲可能な樹脂製の密着引っ張りコイルバネで形成したことを特徴とする請求項３記載の走行ボード用ストラップ装置。
【請求項５】
上記バネ状部の縮小時における上記取付部のデッキ面位置から把持部の先端までの長さＬｓを、４００ｍｍ≦Ｌｓ≦８００ｍｍに設定し、上記バネ状部の最大伸長時における上記取付部のデッキ面位置から把持部の先端までの長さＬｇを、１０００ｍｍ≦Ｌｇ≦１８００ｍｍに設定し、上記バネ状部のばね定数ｋを、８０Ｎ／ｍ≦ｋ≦１２０Ｎ／ｍに設定したことを特徴とする請求項４記載の走行ボード用ストラップ装置。
【請求項６】
上記バネ状部の線径ｄを、２ｍｍ≦ｄ≦８ｍｍに設定し、該バネ状部の縮小時の長さＬａを、８０ｍｍ≦Ｌａ≦２００、直径Ｄを、１０≦Ｄ≦３０ｍｍに設定したことを特徴とする請求項５記載の走行ボード用ストラップ装置。
【請求項７】
上記バネ状部の縮小時における上記取付部のデッキ面位置から把持部の先端までの長さを調整可能な長さ調整手段を備えたことを特徴とする請求項１乃至６何れかに記載の走行ボード用ストラップ装置。
【請求項８】
上記取付部を、上記デッキのノーズ側に係着されるロープを備えて構成したことを特徴とする請求項１乃至７何れかに記載の走行ボード用ストラップ装置。
【請求項９】
上記取付部を、上記ストラップ本体のリング状の一端部に引き通されるとともに上記デッキのノーズに設けられた貫通孔に引き通され、両端部側を結んで環状にすることにより上記ストラップ本体を上記デッキのノーズに取付けるロープで形成し、上記バネ状部の縮小時における上記取付部のデッキ面位置から把持部の先端までの長さを調整可能な長さ調整手段を備え、該長さ調整手段を、上記取付部としてのロープで構成し、該ロープの結び目の位置を変えることにより長さ調整可能にしたことを特徴とする請求項３乃至６何れかに記載の走行ボード用ストラップ装置。
【請求項１０】
上記取付部を、上記デッキのノーズに固定され貫通孔を形成する取付金具と、上記ストラップ本体のリング状の一端部に引き通されるとともに上記取付金具の貫通孔に引き通され、両端部側を結んで環状にすることにより上記ストラップ本体を上記取付金具に取付けるロープとで形成し、上記バネ状部の縮小時における上記取付部のデッキ面位置から把持部の先端までの長さを調整可能な長さ調整手段を備え、該長さ調整手段を、上記取付部のロープで構成し、該ロープの結び目の位置を変えることにより長さ調整可能にしたことを特徴とする請求項３乃至６何れかに記載の走行ボード用ストラップ装置。
【請求項１１】
上記把持部を、上記ストラップ本体の他端部に係着され帯状且つリング状に形成され折り畳み可能な帯状環と、該帯状環に被着され把持されるクッション部材とを備えて構成したことを特徴とする請求項１乃至１０何れかに記載の走行ボード用ストラップ装置。
【請求項１２】
上記請求項１乃至１１何れかに記載の走行ボード用ストラップ装置が装着されたことを特徴とする走行ボード。